(57)【特許請求の範囲】
【請求項１】
納付期限および金額等を記録した払込用媒体を受付け、自動払込みが可能な取引装置において、
払込方法選択画面上に延滞金額照会キーを表示する表示手段と、
前記延滞金額照会キーの押下と、払込期日の入力を検出する検出手段と、
前記検出手段で入力された前記払込期日における延滞金額を自動的に計算する計算手段と、
前記計算手段での計算結果を延滞金額照会画面として前記表示手段に表示する制御手段と
を有することを特徴とする取引装置。
【請求項２】
納付期限を記録した払込用媒体を受付け、自動払込みを取り引きする取引装置において、
払込方法選択画面上に奨励金額照会キーを表示する表示手段と、
前記奨励金額照会キーの押下および払込期日の入力を検出する検出手段と、
前記検出手段で入力された前記払込期日から奨励金額を自動的に計算する計算手段と、
前記計算手段での計算結果を奨励金額照会画面として前記表示手段に表示する制御手段とを有することを特徴とする取引装置。
【請求項３】
請求項１または２に記載の取引装置において、
前記表示手段は延滞金推移キーまたは奨励金推移キーを表示し、
前記検出手段が前記延滞金推移キーまたは奨励金推移キーの押下を検出したとき、前記制御手段は、指定された期日からの延滞金額の推移を表す延滞金額推移一覧画面または指定された期限より前の奨励金額の推移を表す奨励金額推移一覧画面を前記表示手段に表示することを特徴とする取引装置。
【請求項４】
納付期限および金額等を記録した払込用媒体を受付け、自動払込みが可能な取引装置の制御方法において、
延滞金額または奨励金額が付加された払込金額確認画面上の承諾キーが押下されたことを示す承諾押下の記録、または取消キーが押下されたことを示す取消押下の記録をジャーナル、または明細票へ記録し、該押下記録を上記延滞金額または奨励金額照会メッセージとして上位装置に通知し、該上位装置に記憶させることを特徴とする取引装置の制御方法。
【請求項５】
納付期限および金額等を記録した払込用媒体を受付け、自動払込みが可能な取引装置の制御方法において、
払込選択画面で延滞金額照会キーまたは奨励金額照会キーが押下されたことを検出すると、払込媒体を受付け、払込期日を入力させ、入力された払込期日における延滞金額または奨励金額を算出して、算出結果を表示し、期日再入力キーまたは延滞金・奨励金推移キーまたは確認キーまたは取消キーのいずれかが押下されたことを検出し、それぞれ再入力された払込期日における延滞金額または奨励金額を算出・表示するか、延滞金・奨励金推移一覧画面を表示するか、照会結果を印字して払込媒体を返却するか、あるいは、直ちに払込媒体を返却することを特徴とする取引装置の制御方法。
【発明の詳細な説明】
【０００１】
【発明の属する技術分野】
本発明は、払込み媒体を受付け、払込み情報等を自動的に認識して、自動的に取引を行う取引装置に関し、特に公金あるいは公共料金等の払込み媒体で、払込期限日より後に払込まれることで延滞金を加算されるか、および／または払込期限日より前に払込まれることで奨励金が付加された払込み媒体の処理を行う取引装置およびその制御方法に関する。
【０００２】
【従来の技術】
従来より、公共料金の払込媒体を自動取引装置で受付け、自動的に処理を行って領収書を利用者に排出する方法が提案されている。
図１は、通常の取引装置の機能構成図であり、図１１は公共料金等の払込帳票媒体のフォーマット図である。
図１１に示すような払込み媒体を、図１に示す取引装置で受付け、払込み情報等を自動的に認識して自動的に取引を行う装置は、例えば特開平０８−０３０６８８号公報（以下、方式Ａ）に開示されている。方式Ａでは、延滞料金を含めた金額を自動的に算出するのみであるため、延滞金のことを知らないで払込む利用者もあった。
【０００３】
その他、特開昭５７−１３４７６５号公報、特開昭６３−１７３１５８号公報または特開昭６４−７６１５８号公報にそれぞれ記載された自動取引装置においても、上記方式Ａと同じように、公共料金の払込媒体を受付け、延滞料金を含めて自動計算を行い、処理を行うものである。
【０００４】
また、例えば特開平９−３１９８０３号公報（以下、方式Ｂ）に記載の自動取引システムでは、納付期限・金額を記録した公共料金等の納付媒体を受付け、納付期限が過ぎていれば、元金と延滞金とをそれぞれ表示するとともに、払込額を表示し、この払込額で取引を続けるか否かの判断を促す操作誘導画面（延滞金確認画面）を表示する等の処理を行っている。
【０００５】
【発明が解決しようとする課題】
このように、従来の方式Ａでは、延滞料金を含めた金額を算出するのみで、利用者が延滞金額が加算されたことを承諾し、取引する旨の選択、記録がなされていない為、利用者と銀行側のトラブルが発生するという問題があった。すなわち、従来の方法では、延滞金額も含めて自動的に料金を計算し、受領書を発行するのみであるため、延滞金を加算して払込むという利用者の承認がなく、後日、承認したという証拠になるものがないため、利用者と銀行との間でトラブルになる場合があった。
【０００６】
また、公共料金の中には、期限前に納付する場合に奨励金が付加されるものがあるが、上記方式Ｂでは、奨励金についての記載がない。また、利用者が希望する納付期日に対する延滞金、奨励金の照会が行えないので、利用者の利便性が考慮されていないという問題があった。すなわち、延滞金または奨励金が付加されることがわかっていても、払込期日により延滞金額あるいは奨励金額がどのくらいになるかがわからないため、払込金額の合計がいくらになるか不安になる場合が多かった。
【０００７】
そこで、本発明の目的は、これら従来の課題を解決し、利用者と銀行側のトラブルを防止するとともに、利用者の操作性向上と利便性を向上することが可能な取引装置およびその制御方法を提供することにある。
【０００８】
【課題を解決するための手段】
上記目的を達成するため、本発明の取引装置は、▲１▼納付期限・金額等を記録した払込用媒体を受付け、自動払込みが可能な取引装置において、払込方法選択画面上の延滞金額照会キーと、該延滞金額照会キーが押下されたことを検出して、画面を遷移し、入力された期日における延滞金額を自動的に計算し、計算結果を表示する延滞金額照会画面とを設ける。
【０００９】
また、▲２▼納付期限・金額等を記録した払込用媒体を受付け、自動払込みが可能な取引装置において、払込方法選択画面上の奨励金額照会キーと、該奨励金額照会キーが押下されたことを検出して、画面を遷移し、入力された期日における奨励金額を自動的に計算し、計算結果を表示する奨励金額照会画面とを設ける。
【００１０】
また、▲３▼前記延滞金額照会画面または前記奨励金額照会画面上の延滞金推移キーまたは奨励金推移キーと、該延滞金推移キーが押下されたことを検出して、画面を遷移し、指定された期日からの延滞金額の推移を表示する推移一覧画面、または該奨励金推移キーが押下されたことを検出して、画面を遷移し、指定された期限より前の奨励金額の推移を表示する推移一覧画面を設ける。
【００１１】
また、本発明による取引装置の制御方法は、▲４▼延滞金額または奨励金額が付加された払込金額確認画面の承諾キーが押下されたことを示す承諾押下の記録、または取消キーが押下されたことを示す取消押下の記録をジャーナル、または明細票へ記録し、上記延滞金額または奨励金額照会メッセージとして上位装置に通知し、該上位装置に記憶させる。
【００１２】
さらに、▲５▼払込選択画面で延滞金額照会キーまたは奨励金額照会キーが押下されると、払込媒体を受付け、払込期日を入力させ、入力された払込期日における延滞金額または奨励金額を算出して、算出結果を表示し、期日再入力キーまたは延滞金・奨励金推移キーまたは確認キーまたは取消キーのいずれかが押下されたことを検出し、それぞれ再入力された払込期日における延滞金額または奨励金額を算出・表示するか、延滞金・奨励金推移一覧画面を表示するか、照会結果を印字して払込媒体を返却するか、あるいは直ちに払込媒体を返却する。
【００１３】
【発明の実施の形態】
以下、本発明の実施例を、図面により詳細に説明する。
図１は、本発明が適用する取引装置のブロック図である。
図１において、１０１は取引装置、１０２は装置全体を制御する制御部、１０３は利用者への表示内容を表示する表示部、１０４は利用者がデータを入力するためのタッチパネル部、１０５は利用者を認識する媒体を受け付けるカード処理部と、取引結果を明細票に印字し、放出する伝票処理部とからなる伝票／カード部、１０６は納付期限、金額等を記録した媒体である払込帳票媒体受付け部と、帳票への延滞金／奨励金等の金額の印字を行い、利用者への払込書控えを帳票からカットして放出する処理部からなる帳票媒体受付／処理部、１０７は取扱い日、延滞金算出データ、奨励金算出データ、各処理プログラムを格納している記憶部、１０８は自動取引装置の電源部、１０９は払込取引を上位装置へ問い合わせ、回答を処理するとともに、延滞金、奨励金を上位装置に問い合せ、回答を処理する送受信部である。
【００１４】
図２は、本発明を実現するための一例を示す取引選択画面の図である。
取引装置１０１の表示部１０３に表示する最初の画面として、利用者が希望する取引を選択する画面２０１が表示される。利用者は、希望する取引キー２０２、２０３、２０４等のいずれか一つをタッチパネル部１０４において選択する。
支払取引の場合は、お引出しキー２０３を押下する。預入取引を希望の場合は、お預入れキー２０４を押下する。本発明に関係する払込取引の場合は、払込キー２０２を押下し、取引を開始する。
【００１５】
図３は、本発明を実現するための一例を示す払込方法選択画面の図である。
図２の取引選択画面において払込みキー２０２を押下することにより、払込方法選択画面３０１が表示される。払込の方法か、または照会かの選択を行う画面であって、口座より引落しによる払込の場合は口座払込キー３０３を押下する。現金による払込の場合は現金払込キー３０４を押下することで、取引を実行することができる。また、本発明で希望する払込時期を指定して延滞金額を知りたい場合には、延滞金額照会キー３０５を押下することにより、延滞金額を照会する。また。本発明で払込時期の前倒しを行うために、希望する払込時期を指定して奨励金額を知りたい場合には、奨励金額照会キー３０６を押下することにより、奨励金額を照会する。また、取引を取り消しする場合は、取消キー３０２を押下して取引自体を取消す。
【００１６】
図４は、本発明の一実施例を示す払込金額確認画面の図である。
図３の払込方法選択画面３０１において延滞金額照会キー３０５を押下することにより、図４の払込金額確認画面４０１が表示される。すなわち、払込金額確認画面４０１は、払込期限を過ぎているために延滞金が発生している場合で、払込日と払込期限から延滞金を自動的に計算して表示する画面である。画面４０１内の４０６は、帳票媒体受付け部１０６で受付けた払込帳票を自動的に認識した払込先情報で、金融機関名（銀行名、証券会社名、信用組合名、金庫名等）が表示される。４０５は納付期限、４０７は払込金額を表示する部分、４０４は本発明で期限切れを自動的に検知した場合に、期限延滞金を算出した結果を表示する部分、４０８は払込金額と期限延滞金を加算した払込合計金額を表示する部分、４０９は払込期限が過ぎていることを利用者に明示する部分、利用者はこの画面４０１を確認して、承諾し払込取引を実行する場合はタッチパネル部１０４にて承諾キー４０３を押下する。また、承諾しない場合には、取消キー４０２を押下することで取引自体を取消すことができる。
【００１７】
図５は、本発明の一実施例を示す払込金額確認（奨励金額有）画面の図である。
図３の払込方法選択画面３０１において奨励金額照会キー３０６を押下することにより、図５の払込金額確認画面５０１が表示される。すなわち、払込金額確認画面５０１は、払込期限前であって、奨励金が発生している場合で、払込日と払込期限から奨励金を自動的に計算して表示する画面である。画面５０１内の５０７は、帳票媒体受付け部１０６で受付けた払込帳票を自動的に認識した払込先情報（例えば、銀行名、証券会社名、信用組合名、金庫名）である。５０５は納付期限、５０８は払込金額を表示する部分、５０４は本発明で期限前を自動的に検知した場合に、奨励金を算出した結果を表示する部分、５０９は払込金額と奨励金を加算した払込合計金額を表示する部分、５０６は払込期限が前倒していることを利用者に明示する部分、利用者はこの画面５０１を確認し、承諾し払込取引を実行する場合にはタッチパネル部１０４において承諾キー５０３を押下する。また、承諾しない場合には、取消キー５０２を押下することで、取引自体を取り消すことができる。
【００１８】
図６は、本発明の一実施例を示す払込期日入力画面の図である。
図３の延滞金額照会キー３０５、あるいは奨励金額照会キー３０６の押下によりこの払込期日入力画面６０１が表示される。利用者の希望する期日に払込みを行う際の延滞金額、奨励金額を照会取引する場合に、希望する期日を入力する画面６０１内の下方に配置されたテンキー部６０４の数字キーとカーソルキーにより、希望する期日を入力する。６０５は、帳票媒体受付け部１０６で受付けた，払込帳票を自動的に認識した情報である納付期日を表示する。６０６は、利用者により入力された希望する期日を表示する。両方が同一期日になる場合と、異なる期日になる場合とがある。入力完了で確認キー６０３を押下することで照会を実行することができ、次の図７または図９の画面が表示される。また、取引を取り消しする場合には、取消キー６０２を押下する。
【００１９】
図７は、本発明の一実施例を示す延滞金額照会確認画面の図である。
図３の延滞金額照会キー３０５の押下により、図６の払込期日入力画面が表示され、利用者の希望する期日に払込みを行う際の延滞金額を照会取引する場合に、希望する期日を入力する画面６０１でテンキー部６０４の数字キーとカーソルキーにより、希望する期日を入力すると、次に照会した結果を表示する図７の延滞金額照会確認画面が表示される。
画面７０１内の７１０は帳票媒体受付け部１０６で受付けた払込帳票を自動的に認識した情報である払込先情報、７０６は納付期限、７１１は払込金額を表示する部分、７０７は希望する期日を入力する画面６０１において入力した指定払込期日を表示する部分、７０８は納付期限と指定払込期日にて算出した延滞金を表示する部分、７０９は払込金額と延滞金を加算した払込合計金額を表示する部分である。
【００２０】
滞金額照会確認画面７０１には、確認キー７０３、延滞金推移キー７０４、期日再入力キー７０６、および取消キー７０２が設けられている。
利用者は、照会の結果を確認した場合には、確認キー７０３を押下して終了する。また、照会を取り消しする場合には、取り消しキー７０２を押下し取り消す。また、期日を再度、希望する指定期日に変更する場合には、期日再入力キー７０５を押下することにより、再度、払込期日入力画面図６へ移行することができる。また、期日による延滞金推移を照会したい場合には、延滞金推移キー７０４を押下することで照会を行うことができる。
【００２１】
図８は、本発明の一実施例を示す延滞金推移確認画面の図である。
図７の延滞金額照会確認画面で期日による延滞金推移を照会したい場合、延滞金推移キー７０４を押下すると、払込期日による延滞金の推移一覧表示８０６を行う画面が表示される。この画面で、８０６は指定した期日からの推移を表示する部分である。ここでは、推移として払込期日が１個のみしか表示されていないが、例えば、払込期日と、その期日から１週間後を期日とした場合と、さらに１週間後を期日とした場合の３個、あるいは同じようにして２個〜４個を表示させることも可能である。
推移確認時は、確認キー８０２を押下する。また、取引取消とする場合には、取り消しキー８０３を押下する。指定した期日の延滞金へ戻る場合には、前操作キー８０４を押下する。これにより図７の滞金額照会確認画面７０１に戻る。
【００２２】
図８の延滞金推移確認画面の応用例について説明する。
上記の実施例では、払込期日を１個だけ指定して、その期日から１週間後を払込期日とした場合と、その期日からさらに１週間後を払込期日とした場合のように１週間ごとの推移一覧であった。しかし、実際には、何日か後に他の人から自分宛に振込まれる予定がある場合や、さらに何日か後には十分な金額の入金が予定されている場合には、その予定日または予定日の次の日を払込指定日としたならば、延滞金がどのくらいになるかを知りたいことが多々ある。
本応用例では、上述のような場合にも十分に対応できるように、入金予定日または次の日を払込期日として指定し、延滞金を表示させる方法を提供する。
例えば、図８の画面で、前操作キー８０４を２回押下することにより、図６の払込期日入力画面に戻り、入力期日が２以上であることを指定して（図６の画面上に入力期日数キーを追加）、テンキー部６０４の数字キーとカーソルキーにより利用者の入金予定日またはその次の日を２回以上入力する。そして、確認キー６０３を２回押下することにより、図８の延滞金推移確認画面８０１に移行させることで、推移を表示する部分８０６には、入金予定日または次の日を払込期日とした場合の延滞金額と合計が、２個以上表示されることになる。
これにより、利用者は延滞金額と予定される入金額との兼ね合いを考慮して、最終的に払込期日を決定することができるので、利用価値があると考えられる。
【００２３】
図９は、本発明の一実施例を示す奨励金額照会確認画面の図である。
図３の払込方法選択画面３０１上で、奨励金額照会キー３０６を押下することにより、図６の払込期日入力画面６０１が表示され、この画面６０１上で確認キー６０３を押下することにより、図９の奨励金額照会確認画面９０１が表示される。利用者の希望する期日に払込みを行う際の奨励金額を照会取引する場合には、希望する期日を入力する画面６０１で、テンキー部６０４の数字キーとカーソルキーにより希望する期日を入力し、照会した結果を奨励金額照会確認画面９０１に表示する。
画面９０１内の９０６は、帳票媒体受付け部１０６で受付けた払込帳票を自動的に認識した情報である払込先情報、９０７は納付期限、９０９は払込金額を表示する部分、９０８は希望する期日を入力する画面６０１において入力した指定払込期日を表示する部分、９１０は納付期限と指定払込期日にて算出した奨励金を表示する部分、９１１は払込金額と奨励金を加算した払込合計金額を表示する部分である。
【００２４】
利用者は、照会の結果を確認した場合には、確認キー９０３を押下して終了する。また、照会を取り消しする場合には、取り消しキー９０２を押下して取り消す。また、期日を再度、希望する指定期日に変更する場合には、期日再入力キー９０５を押下することにより、再度、払込期日入力画面図６へ移行することができる。また、期日による奨励金推移を照会したい場合には、奨励金推移キー９０４を押下することで、照会を行うことができる（図１０の画面に移行）。
【００２５】
図１０は、本発明を実現するための一例である奨励金推移確認画面例である。
図９の金額照会確認画面９０１で期日による奨励金推移を照会したい場合には、奨励推移キー９０４を押下し、払込期日による奨励金の推移一覧表示１００６を行う。１００６は、指定した期日からの推移表示する部分である。推移確認時は、確認キー１００３を押下する。また、取引取消とする場合には、取り消しキー１００２を押下する。指定した期日の奨励金へ戻る場合には、前操作キー１００４を押下する。この場合にも、図８の延滞金推移確認画面８０１と同じように、払込期日を１個だけ表示していが、その払込期日から１週間前を期日とした場合、およびさらに１週間前を期日とした場合の奨励金額を計算して表示することもできる。
【００２６】
図１１は、本発明が適用される払込帳票媒体例を示す図である。
利用者が払込を行う場合、払込帳票類１１０１である媒体を帳票媒体受付け部１０６において受け付ける。この払込帳票類１１０１の各情報である１１３１、１１３２、１１３３は払込先、１１０２、１１０７、１１０８は払込金額、１１０３、１１０９、１１１０は納付期限である。この納付期限１１０３を認識して、払込期日による延滞日数または奨励日数を計算し、自動的に延滞金額、または、奨励金額を計算する。
払込金額１１０２の認識情報と計算した延滞金額、または、奨励金額との合計である払込金額を算出して払込を実行した場合、１１２０，１１２１、１１２２へ延滞金額、または、奨励金額を印字する。また、１１１１，１１１２，１１１３へ払込期日をスタンプする。１１０４は利用者へ払込取引結果の控えとして返却すべき部分（領収書）で、この部分を帳票媒体処理部１０６にてカットして返却する。また、１１０５は、払込側銀行控えとして回収する。また、１１０６は、払込先への払込証明書として回収される。
【００２７】
図１２は、本発明の一実施例を示す延滞金算出データの図である。
延滞金を算出する場合、図１１で認識した払込先１２０１情報から払込先データ１２０２を検索し、払込先１２０１と一致したＩＤ１２０３である払込先別延滞金算出率データ１２０４、１２０７を求める。例えば、払込先が普通銀行、地方銀行、信用金庫、あるいは農林金庫の場合、それぞれ延滞金算出率が異なる場合がある。これらのデータを取引装置１０１の記憶部１０７または上位装置の記憶部に記憶しておき、図６の払込期日入力画面で払込期日が入力され、延滞金額の計算が必要になった場合には、払込先に対応したＩＤから払込先別延滞金算出率データ１２０４，１２０７を求めて、この算出率に基づいて金額を計算する。
この払込先別延滞金算出率データから既に算出している延滞日数にて延滞日数データ１２０６を検索し妥当な延滞金算出率データ１２０５を抽出し払込金額と延滞金算出率で延滞金額を計算する。
【００２８】
図１３は、本発明の一実施例を示す奨励金算出データの図である。
奨励金を算出する場合、図１１で認識した払込先１２０１情報から払込先データ１３０１を検索し、払込先１３０２と一致したＩＤ１３０３である払込先別奨励金算出率データ１３０４、１３０７を求める。奨励金の場合も、延滞金と同じように、払込先によって算出率が異なっている場合がある。この払込先別奨励金算出率データから、既に算出している奨励日数にて奨励日数データ１３０６を検索し、妥当な奨励金算出率データ１３０５を抽出して、払込金額と奨励金算出率で奨励金額を計算する。
【００２９】
図１４は、本発明の一実施例を示す明細票印字の図である。
図１４において、２００１は受付け日付、取扱い店番号印字位置、２００２は口座引落しの場合に銀行コード、取引店番号、口座を印字する。２００３は払い込み後の口座残高を印字する。２００４は払込先、２００５は納付期限、２００６は払込金額、２００７は期限延滞金の場合の金額、２００８は合計額、２００９は延滞金、奨励金を利用者が承諾した記録、すなわち図４の払込金額確認画面（延滞金付き）４０１または図５の払込金額確認（奨励金額有り）画面５０１上で承諾キー４０３または５０３を押下したことを証明する記録の印字である。
【００３０】
図１５は、本発明の一実施例を示す延滞／奨励金照会ＭＳＧフォーマット（送信）の図である。
図１５において、２１０１は送信データのヘッダ部分の情報、２１０２は払込先名、２１０３は払込期日、２１０４は払込日であって、延滞金額照会または奨励金額照会の取引を申し込んだ場合に、取引装置から上位装置に問い合せする電文フォーマットである。
【００３１】
図１６は、本発明の一実施例を示す延滞／奨励金照会ＭＳＧフォーマット（受信）の図である。
図１６において、２１０１は送信データのヘッダ部分の情報、２２０２は払込先名、２２０３は払込期日、２２０４は払込日、２２０５は問い合せした結果の延滞金／奨励金を算出するデータである。図１２および図１３に相当するデータを上位装置から受信し、記憶部１０７に記憶して処理に使用する為の回答を受信する電文フォーマットである。すなわち、図１６のフォーマット文は、上位装置から取引装置に返送されるＭＳＧデータであって、延滞金または奨励金算出率データを格納して返送される。
【００３２】
図１７は、本発明の一実施例を示す払込取引処理のフローチャートである。
図１７において、１４０１は図２の取引選択画面で払込キー２０２を押下し、払込を選択するブロック、１４０２は図３の払込方法選択画面で口座払込キー３０３を押下し選択するブロック、１４０３は利用者が持参した本人確認が行えるカードをカード部１０５より挿入させる処理ブロック、１４０４は本人確認の為の暗証番号を入力処理するブロック、１４０５は払込媒体である帳票１１０１を受付ける処理ブロック、１４０６は受付けした払込帳票１１０１の払込金額を認識する処理ブロック、１４０７は納付期限を認識する処理ブロックである。
【００３３】
１４０８は取扱い日と納期期限を比較して、期限切れか否かを判断するブロック、１４０９は期限切れの場合に延滞金を算出する処理ブロック、１４１０は延滞金確認画面を表示し、利用者の承諾を確認する処理ブロック、１４１１は期限切れでない場合に奨励金を算出する処理ブロック、１４１２は奨励金確認画面を表示し、利用者の承諾を確認する処理ブロック、１４１３は承諾した旨を記録する為に、ジャーナルに印字する処理ブロック、１４１４は利用者の承諾により払込取引を実行するため上位装置へ問い合せを行う処理ブロック、１４１５は問い合せした回答を処理する処理ブロック、１４１６は払込取引実行結果により払込日のスタンプを図１１の払込期日１１１１、１１２、１１１３へ押印し、１１０４，１１０５，１１０６をカットする処理ブロック、１４１７は伝票部１０５にて払込取引結果を明細票に印字する処理ブロック、１４１８は利用者へ払込領収部分１１０４と明細票を返却する処理ブロックである。
【００３４】
図１８は、本発明の一実施例を示す延滞金額照会取引のフローチャートである。
図１８において、１５０１は図２の取引選択画面で払込キー２０２を押下し、払込を選択するブロック、１５０２は図３の払込方法選択画面で延滞金額照会キー３０５を押下して選択するブロック、１５０３は払込媒体である帳票１１０１を受付ける処理ブロック、１５０４は受付けた払込帳票１１０１の払込金額１１０２、納付期限１１０３を認識する処理ブロック、１５０５は照会する期日を入力する払込期日入力画面図６において入力させる処理ブロック、１５０６は入力確認キー６０３の押下を検知する処理ブロック、１５０７は取引を取消す取消キー６０２の押下を検知する処理ブロック、１５０８は延滞金を算出する処理ブロックである。
【００３５】
１５０９は延滞金額照会確認画面図７を表示する処理ブロック、１５１０は期日再入力キー７０５の押下を検知する処理ブロック、１５１１は延滞金推移キー７０４の押下を検知する処理ブロック、１５１２は照会確認キー７０３の押下を検知する処理ブロック、１５１３は取引を取消す取消キー７０２の押下を検知する処理ブロック、１５１４は延滞金推移キー７０４の押下を検知し、図８の延滞金推移画面を表示する処理ブロック、１５１５は前操作キー８０４の押下を検知する処理ブロック、１５１６は確認キー８０２の押下を検知する処理ブロック、１５１７は取引の取消キー８０３の押下を検知する処理ブロック、１５１８は照会結果を明細票に印字する処理ブロック、１５１９は印字した明細票を利用者へ放出する処理ブロック、１５２０は受付けた払込帳票を返却する処理ブロックである。
【００３６】
図１９は、本発明の一実施例を示す奨励金額照会取引のフローチャートである。
図１９において、１６０１は図２の取引選択画面で払込キー２０２を押下して払込を選択するブロック、１６０２は図３の払込方法選択画面で奨励金額照会キー３０６を押下し選択するブロック、１６０３は払込媒体である帳票１１０１を受付ける処理ブロック、１６０４は受付けた払込帳票１１０１の払込金額１１０２、納付期限１１０３を認識する処理ブロック、１６０５は照会する期日を入力する図６の払込期日入力画面において入力させる処理ブロック、１６０６は入力確認キー６０３の押下を検知する処理ブロック、１６０７は取引を取消すための取消キー６０２の押下を検知する処理ブロック、１６０８は奨励金を算出する処理ブロックである。
【００３７】
１６０９は図９の奨励金額照会確認画面を表示する処理ブロック、１６１０は期日再入力キー９０５の押下を検知する処理ブロック、１６１１は奨励金推移キー９０４の押下を検知する処理ブロック、１６１２は照会確認キー９０３の押下を検知する処理ブロック、１６１３は取引を取消すための取消キー９０２の押下を検知する処理ブロック、１６１４は奨励金推移キー９０４の押下を検知し、図１０の奨励金推移画面を表示する処理ブロック、１６１５は前操作キー１００４の押下を検知する処理ブロック、１６１６は確認キー１００３の押下を検知する処理ブロック、１６１７は取引を取消すための取消キー１００２の押下を検知する処理ブロック、１６１８は照会結果を明細票に印字する処理ブロック、１６１９は印字した明細票を利用者へ放出する処理ブロック、１６２０は受付けた払込帳票を返却する処理ブロックである。
【００３８】
以下、延滞金および奨励金の算出手順、払込スタンプ押印カット処理の手順などについて説明する。
（延滞金算出手順）
本発明を実施するための一例である延滞金算出の手順としては、先ず払込期限と現在の取扱い日から延滞日数を算出し、次に払込先１２０１から延滞金算出率１２０５を抽出し、次に延滞日数と延滞金算出率を掛け算して延滞金額を計算する。
なお、上位装置に問い合せする手順としては、先ず上位装置に問い合せするために延滞金照会電文を送信する。次に、上位装置からの延滞金問合わせ回答を処理する。
【００３９】
（奨励金算出手順）
本発明を実施するための一例である奨励金算出の手順としては、先ず払込期限と現在の取扱い日から奨励日数を算出し、次に払込先１２０１から奨励金算出率１３０５を抽出し、次に奨励日数と奨励金率を掛け算して奨励金額を計算する。なお、上位装置に問い合せする手順としては、先ず上位装置に問い合せするために奨励金照会電文を送信する。次に、上位装置からの奨励金問合わせ回答を処理する。
【００４０】
（払込スタンプ押印カット処理）
本発明を実施するための一例である払込スタンプ押印カット処理の手順としては、先ず払込金額を１１０７，１１０８に印字し、次に払込日スタンプを１１１１、１１１２、１１１３へ押印し、次に払込帳票類をカット位置へ移動し、次に利用者控えと銀行側控えにカットする処理を行い、次に払込先控え、銀行側控えを回収する処理を行う。
【００４１】
【発明の効果】
以上説明したように、本発明によれば、払込期日による延滞金額、または奨励金額を表示し、利用者の承諾により払込を行うとともに、利用者の承諾、取消キー押下を記録するため、利用者と銀行との間のトラブルを防止することができる。また、利用者の希望する払込期日での延滞金額、奨励金額を照会することができ、さらに延滞金および奨励金の推移一覧画面も表示することができるので、利用者の利便性が向上する。
【図面の簡単な説明】
【図１】本発明が適用する取引装置の制御ブロックの図である。
【図２】本発明における取引選択画面例を説明する図である。
【図３】本発明における払込方法選択画面例を説明する図である。
【図４】本発明の一実施例を示す支払金額確認画面の図である。
【図５】本発明の一実施例を示す払込金額確認（奨励金額有）画面の図である。
【図６】本発明の一実施例を示す払込期日入力画面の図である。
【図７】本発明の一実施例を示す延滞金額照会確認画面の図である。
【図８】本発明の一実施例を示す延滞金推移確認画面の図である。
【図９】本発明の一実施例を示す奨励金額照会確認画面の図である。
【図１０】本発明の一実施例を示す奨励金額推移確認画面の図である。
【図１１】本発明が適用する払込帳票媒体例の図である。
【図１２】本発明の一実施例を示す延滞金算出データを説明する図である。
【図１３】本発明の一実施例を示す奨励金算出データを説明する図である。
【図１４】本発明の一実施例を示す明細票・ジャーナル印字の図である。
【図１５】本発明の一実施例を示す延滞／奨励金照会ＭＳＧフォーマット（送信）の図である。
【図１６】本発明の一実施例を示す延滞／奨励金照会ＭＳＧフォーマット（受信）の図である。
【図１７】本発明の一実施例を示す払込取引処理のフローチャートである。
【図１８】本発明の一実施例を示す延滞金額照会取引処理のフローチャートである。
【図１９】本発明の一実施例を示す奨励金額照会取引処理のフローチャートである。
【符号の説明】
１０１:自動取引装置、１０２:制御部、１０３:表示部、
１０４:タッチパネル部、１０５:伝票/カード部、
１０６:帳票媒体受付／処理部、１０７:記憶部、１０８:電源部、
１０９:送受信部、２０１:取引選択画面、２０２:払込キー、
２０３，２０４:取引キー、３０１:払込方法選択画面、３０２:取消キー、
３０３:口座払込キー、３０４:現金払込キー、３０５:延滞金額照会キー、
３０６:奨励金額照会キー、４０１:払込金額確認画面、４０２:取消キー、
４０３:承諾キー、４０４:期限延滞金額表示欄、
４０５，４０６，４０７，４０８,４０９:各表示欄、
５０１:払込金額確認(奨励金額有)画面、５０２:取消キー、
５０３:承諾キー、５０４:奨励金表示欄、
５０５，５０６,５０７,５０８，５０９:各表示欄、
６０１:払込期日入力画面、６０２:取消キー、６０３:確認キー、
６０４:数字キー、矢印キー、６０５:納付期限日、
６０６:払込期日指定日表示欄、７０１:延滞金額照会確認画面、
７０２:取消キー、７０３:確認キー、７０４:延滞金推移キー、
７０５:期日再入力キー、
７０６,７０７,７０８,７０９,７１０,７１１:各表示欄、
８０１:延滞金推移確認画面、８０２：確認キー、８０３:取消キー、
８０４:前操作キー、８０５、８０６:各表示欄、
９０１:奨励金額照会確認画面、９０２:取消キー、９０３:確認キー、
９０４:奨励金推移キー、９０５：期日再入力キー、
９０６,９０７,９０８,９０９、９１０,９１１:各表示欄、
１００１:奨励金推移確認画面、１００２:取消キー、１００３:確認キー、
１００４:前操作キー、１００５,１００６:各表示欄、
１１０１:払込帳票媒体、１１０２,１１０７、１１０８:払込金額欄、
１１０３,１１０９,１１１０:納付期限欄、
１１２０,１１２１,１１２２:延滞金／奨励金欄、
１１１１,１１１２,１１１３:払込期日スタンプ欄、
１１３１,１１３２,１１３３:払込先欄、１１０４:利用者側控え、
１１０５:銀行側控え、１１０６:払込先控え、
１２０１:延滞金算出データの払込先ＩＤデータ、１２０２:払込先、
１２０３:払込先ＩＤ、１２０４,１２０７:払込先別延滞金算出率データ、
１２０５:延滞金算出率データ、１２０６:延滞日数データ、
１３０１:奨励金算出データの払込先ＩＤデータ、１３０２:払込先、
１３０３:払込先ＩＤ、１３０４,１３０７:払込先別奨励金算出率データ、
１３０５:奨励金算出率データ、１３０６:奨励日数データ、
２００１〜２００８:各印字欄、
２１０１:延滞／奨励金照会ＭＳＧフォーマット（送信）、
２１０２、２２０２:払込名、２１０３、２２０３:払込期限、
２１０４、２２０４:払込日、２２０５:算出データ、
２２０１:延滞／奨励金照会ＭＳＧフォーマット（受信）。
【図１】
0003778029.tif 000002
【図２】
0003778029.tif 000003
【図３】
0003778029.tif 000004
【図４】
0003778029.tif 000005
【図５】
0003778029.tif 000006
【図６】
0003778029.tif 000007
【図７】
0003778029.tif 000008
【図８】
0003778029.tif 000009
【図９】
0003778029.tif 000010
【図１０】
0003778029.tif 000011
【図１１】
0003778029.tif 000012
【図１２】
0003778029.tif 000013
【図１３】
0003778029.tif 000014
【図１４】
0003778029.tif 000015
【図１５】
0003778029.tif 000016
【図１６】
0003778029.tif 000017
【図１７】
0003778029.tif 000018
【図１８】
0003778029.tif 000019
【図１９】
0003778029.tif 000020